(57)【要約】【課題】金属色の画像が形成された原稿、画像の上に透明テープが貼付された原稿、ＣＤジャケット等について、高画質の読取画像データを得ることができ、また、要偽造防止物に形成されたホログラムの画像認識処理の負荷を極力小さくすることができること。【解決手段】原稿に第１露光を行ったときの拡散反射光に基づく画像データ（第１輝度）の取得（Ｓ２）と、第２露光を第１強度で行ったときの正反射光に基づく画像データ（第２輝度）の取得（Ｓ６）と、第２露光を第１強度よりも弱い第２強度で行ったときの正反射光に基づく画像データ（第３輝度）の取得（Ｓ１２）とを行い、それらに基づく条件Ａ「第１輝度≧設定輝度」、条件Ｂ「第１輝度≧第２輝度」、条件Ｃ「第２輝度のデータが着色したデータ」、条件Ｄ「第３輝度／第２輝度＜設定比」の判別結果に基づいて、第１輝度又は第２輝度を選択することにより読取画像データを編成する（Ｓ１４）。【選択図】図４
2007325050.tif 000002
【特許請求の範囲】
【請求項１】
表面に画像が形成された被読取対象物に第１の光を照射したときの前記被読取対象物からの拡散反射光と第２の光を照射したときの前記被読取対象物からその表面に略垂直の方向への正反射光との各々を光電変換手段に導くことにより、各反射光の輝度分布を表す画像データを前記光電変換手段を通じて取得し、取得画像データに基づいて出力対象となる読取画像データを得る画像読取り装置であって、
前記被読取対象物に前記第１の光を照射したときの前記拡散反射光に基づく拡散反射画像データの取得処理と、前記被読取対象物に前記第２の光を所定の第１強度で照射したときの前記正反射光に基づく第１正反射画像データの取得処理と、前記被読取対象物に前記第２の光を前記第１強度より弱い第２強度で照射したときの前記正反射光に基づく第２正反射画像データの取得処理との切り替え制御を行う画像データ取得制御手段と、
画像上の各位置について、前記拡散反射画像データと前記第１正反射画像データとの輝度比較に基づく第１条件を判別する第１条件判別手段と、
画像上の各位置について、前記第１正反射画像データと前記第２正反射画像データとの輝度比較に基づく第２条件を判別する第２条件判別手段と、
画像上の各位置について、前記第１条件判別手段及び前記第２条件判別手段の判別結果に基づいて前記拡散反射画像データの輝度と前記第１正反射画像データの輝度とのいずれかを選択することにより、前記読取画像データを編成する第１選択式読取画像データ編成手段と、
を具備してなることを特徴とする画像読取り装置。
【請求項２】
画像上の各位置について、前記拡散反射画像データの輝度と予め定められた設定輝度との比較に基づく第３条件を判別する第３条件判別手段を具備し、
前記第１選択式読取画像データ編成手段が、前記第３条件判別手段の判別結果にも基づいて前記拡散反射画像データの輝度と前記第１正反射画像データの輝度とのいずれかを選択し、
前記画像データ取得制御手段が、前記拡散反射画像データの取得処理の実行後、前記第１選択式読取画像データ編成手段により、前記第３条件判別手段の判別結果に基づいて、画像上の全ての位置について前記拡散反射画像データの輝度を選択することが確定されなかった場合に、前記第１正反射画像データの取得処理が実行されるよう制御してなる請求項１に記載の画像読取り装置。
【請求項３】
前記光電変換手段を通じて取得される各画像データが複数の有色画像データにより構成される場合に、
画像上の各位置について、前記第１正反射画像データを構成する前記複数の有色画像データ相互の輝度バランスに基づく第４条件を判別する第４条件判別手段を具備し、
前記第１選択式読取画像データ編成手段が、前記第４条件判別手段の判別結果にも基づいて前記拡散反射画像データの輝度と前記第１正反射画像データの輝度とのいずれかを選択し、
前記画像データ取得制御手段が、前記拡散反射画像データ及び前記第１正反射画像データの取得処理の実行後、前記第１選択式読取画像データ編成手段により、前記第１条件判別手段及び前記第４条件判別手段の判別結果に基づいて、画像上の全ての位置について前記拡散反射画像データの輝度と前記第１正反射画像データの輝度とのいずれを選択するかが確定されなかった場合に、前記第２正反射画像データの取得処理が実行されるよう制御してなる請求項１又は２のいずれかに記載の画像読取り装置。
【請求項４】
１又は複数の種類のホログラム画像について、該ホログラム画像に照射した光の正反射光に基づく第１ホログラム画像データと該ホログラム画像に照射した光の複数方向への拡散反射光各々に基づく複数の第２ホログラム画像データとが対応付けられて予め記憶されたホログラム画像記憶手段から、前記第１ホログラム画像データを取得する第１ホログラム画像データ取得手段と、
前記第１選択式読取画像データ編成手段により前記第１正反射画像データの輝度が選択された領域である金属色領域の前記第１正反射画像データが、前記第１ホログラム画像データ取得手段により取得された前記第１ホログラム画像データと一致するか否かの判別及び一致する場合の前記金属色領域の画像の向きの特定を行う第１ホログラム画像判別手段と、
前記ホログラム画像記憶手段から、前記第１ホログラム画像判別手段の判別結果に対応する種類及び向きの前記第２ホログラム画像データを取得する第２ホログラム画像データ取得手段と、
前記金属色領域の前記拡散反射画像データが、前記第２ホログラム画像データ取得手段により取得された前記第２ホログラム画像データと一致するか否かを判別する第２ホログラム画像判別手段と、
を具備してなる請求項１〜３のいずれかに記載の画像読取り装置。
【請求項５】
前記第２ホログラム画像判別手段により前記金属色領域の前記拡散反射画像データが前記第２ホログラム画像データと一致すると判別された場合に、画像データの処理を制限するデータ処理制限手段を具備してなる請求項４に記載の画像読取り装置。
【請求項６】
表面に複数層の光透過性の被膜が形成された多層皮膜形成物の表面に画像が形成された前記被読取対象物を画像の読取り対象とする第１モードとそれ以外の前記被読取対象物を画像の読取り対象とする第２モードとのいずれかを選択するモード選択手段と、
前記モード選択手段により前記第１モードが選択された場合に、画像上の各位置について、前記第１条件判別手段の判別結果に基づいて前記拡散反射画像データの輝度と前記第１正反射画像データの輝度とのいずれかを選択することにより、前記読取画像データを編成する第２選択式読取画像データ編成手段と、
を具備してなる請求項１〜５のいずれかに記載の画像読取り装置。
【請求項７】
表面に画像が形成された被読取対象物に第１の光を照射したときの前記被読取対象物からの拡散反射光と第２の光を照射したときの前記被読取対象物からその表面に略垂直の方向への正反射光との各々を光電変換手段に導くことにより、各反射光の輝度分布を表す画像データを前記光電変換手段を通じて取得し、取得画像データに基づいて出力対象となる読取画像データを編成する画像読取り方法であって、
前記被読取対象物に前記第１の光を照射したときの前記拡散反射光に基づく拡散反射画像データの取得処理と、前記被読取対象物に前記第２の光を所定の第１強度で照射したときの前記正反射光に基づく第１正反射画像データの取得処理と、前記被読取対象物に前記第２の光を前記第１強度より弱い第２強度で照射したときの前記正反射光に基づく第２正反射画像データの取得処理との切り替え制御を行う画像データ取得制御手順と、
画像上の各位置について、前記拡散反射画像データと前記第１正反射画像データとの輝度比較に基づく第１条件を判別する第１条件判別手順と、
画像上の各位置について、前記第１正反射画像データと前記第２正反射画像データとの輝度比較に基づく第２条件を判別する第２条件判別手順と、
画像上の各位置について、前記第１条件判別手順及び前記第２条件判別手順の判別結果に基づいて前記拡散反射画像データの輝度と前記第１正反射画像データの輝度とのいずれかを選択することにより、前記読取画像データを編成する第１選択式読取画像データ編成手順と、
を有してなることを特徴とする画像読取り方法。
【発明の詳細な説明】
【技術分野】
【０００１】
本発明は、表面に画像が形成された被読取対象物（原稿）に光を照射し、その反射光を光電変換して読取画像データを得る画像読取り装置及びその方法に関し、特に、金色や銀色等の光沢性の高い被読取対象物からの画像読み取りに好適な画像読取り装置及びその方法に関するものである。
【背景技術】
【０００２】
一般的に、スキャナや複写機等の画像読取り装置は、所定の光源から原稿に光を照射し、原稿からの反射光をＣＣＤ（光電変換素子）に導くことによって原稿の画像データを生成（電子データに変換）するよう構成されている。
ここで、一般的な紙原稿に対して光を照射すると、その表面の微小な凹凸によって反射光が様々な方向へ拡散反射し、ほとんど正反射しない。このため、従来の一般的な画像読取り装置は、原稿ごとの表面状態の違いによって画像の読取り結果が大きく異ならないように、原稿からの拡散反射光がＣＣＤに導かれるよう構成されている。例えば、原稿面に垂直の方向に対して約４５°の方向から光が照射され、原稿面にほぼ垂直の方向への反射光がＣＣＤに導かれるよう構成されている。
一方、原稿に金色や銀色等の光沢性の高い領域が存在する場合、その領域については、照射光のほとんどが正反射光として反射し、拡散反射光の光量が著しく低下する。
【０００３】
図３（ａ）は、赤Ｒ、緑Ｇ、青Ｂ、白Ｗ、灰ＧＹ、黒ＢＬ、金ＧＯＬＤ、銀ＳＩＬＶＥＲの各色のパッチ画像が形成された原稿を、図３（ｂ）は図３（ａ）の原稿画像の拡散反射光を読み取って得た画像データの出力イメージを、図３（ｃ）は図３（ａ）の原稿画像の正反射光を読み取って得た画像データの出力イメージを、それぞれ模式的に表した図である。なお、正反射光に基づく画像データを取得する際の原稿に対する照射光の強度は、拡散反射光に基づく画像データを取得する際のそれと比べて、十分に弱い強度に設定する。
図３（ｂ）に示すように、拡散反射光に基づき画像データを生成すれば、従来からよく使用される一般的な色（Ｒ、Ｇ、Ｂ、Ｗ、ＧＹ、ＢＬ）については、原稿画像が正しく再現された画像データを得ることができるが、金属色（ＧＯＬＤ、ＳＩＬＶＥＲ）については、暗い（黒っぽい）画像の画像データが生成され、原稿画像を正しく読み取れない。
一方、正反射光に基づき画像データを生成すると、図３（ｃ）に示すように、金属色（ＧＯＬＤ、ＳＩＬＶＥＲ）については、原稿画像が正しく再現された画像データを得ることができるが、黒以外の一般的な色（Ｒ、Ｇ、Ｂ、Ｗ、ＧＹ）については、暗い（黒っぽい）画像の画像データが生成され、原稿画像を正しく読み取れない。なお、図示していないが、原稿への照射光の強度を強め（照射光の光量の絞りを緩め）、正反射光に基づいて一般的な色（Ｒ、Ｇ、Ｂ、Ｗ、ＧＹ、ＢＬ）を正しく読み取れるようにすると、金属色（ＧＯＬＤ、ＳＩＬＶＥＲ）については、ＣＣＤにおける受光輝度がオーバーフローして真っ白な画像のデータが得られてしまう。
【０００４】
近年、金色や銀色の文字や画像を含む年賀状やカード等、画像読取り装置による読取り対象となる原稿が多様化し、光沢性の高い原稿の画像を正しく読み取れる画像読取り装置が求められている。
これに対し、特許文献１及び特許文献２には、原稿に第１の光を照射したときの原稿からの拡散反射光と第２の光を照射したときの原稿からの正反射光との各々をＣＣＤ部（光電変換手段）に導くことにより、各反射光の輝度分布を表す画像データをＣＣＤ部を通じて取得し、取得した２種類の画像データを合成することによって出力対象となる画像データを得る画像読取り装置が示されている。また、特許文献１及び特許文献２には、２種類の画像データにおける各輝度データの加算や、輝度が高い方の輝度データの選択によって画像データの合成が行われる例が示されている。
これにより、拡散反射光のみに基づいて画像データを生成する一般的な画像読取り装置に比べ、原稿における金属色の画像をより正確に読み取ることができる。特に、原稿に形成された文字や図形など、読み取るべき画像が金属色により形成されている場合（金属色の文字やマークなど）、その画像を正確に読み取ることができる。
【０００５】
ところで、昨今の画像読取り装置は、画像の読取り精度（再現精度）が非常に高い。このため、紙幣やクレジットカード等の偽造防止の重要性が特に高い物（以下、要偽造防止物という）について、その画像の処理（印刷等）を制限することが、各種不正を防止するうえで重要である。
ここで、要偽造防止物の中には、偽造防止のためにホログラム（いわゆるレインボーホログラム）が形成されているもの（以下、ホログラム形成物という）がある。ホログラムは、金属箔によって構成されており、見る角度によって模様の異なる像が映るものである。このホログラムは、要偽造防止物それぞれについて特徴的なマークを形成するものが多く、画像読取り装置において、要偽造防止物に形成されたホログラムを画像処理によって認識できれば、その画像の処理を制限する上で有効である。
また、昨今は、個人がオリジナルのＣＤジャケットを印刷したＣＤ（コンパクトディスク）を製作し、そのＣＤジャケットの画像データを自身のホームページで紹介して楽しむことなどが行われる。このため、画像読み取り装置により、ＣＤからそのＣＤジャケットの画像データを高画質で得ることが望まれている。
【特許文献１】特開２００４−２７４２９８号公報
【特許文献２】特開２００４−２７４２９９号公報
【発明の開示】
【発明が解決しようとする課題】
【０００６】
しかしながら、普通紙に形成された画像の上に透明テープが貼付された原稿や写真原稿など、本来読み取るべき画像（文字や図形など）が形成されている画像形成領域一帯の光沢性が高い原稿から画像を読み取る場合、特許文献１や特許文献２に示される技術を用いても、以下のように低画質の画像データが得られてしまうという問題が生じ得る。
例えば、拡散反射光に基づく画像データ及び正反射光に基づく画像データの両輝度の加算により画像データの合成を行った場合、本来読み取るべき画像（拡散反射光に基づく画像）上に光源の光の像（正反射光に基づく画像）が写り込んでハレーションを起こしたような画像データ（低画質の画像データ）が得られてしまうという問題が生じ得た。
また、拡散反射光に基づく画像データ及び正反射光に基づく画像データの両輝度のうち、輝度が高い方の輝度データを選択することにより画像データの合成を行った場合、本来読み取るべき画像（拡散反射光に基づく画像）が表れずに、原稿に写り込んだ光源の光の像（正反射光に基づく画像）のみが表れた画像データ（低画質の画像データ）が得られてしまうという問題が生じ得た。特に、透明テープが貼付された原稿について画像読取りを行った場合、本来は表れて欲しくない透明テープが明確に表れ、本来表れて欲しい画像（透明テープの下の画像）が表れない（或いは、ほとんど表れない）画像データが得られてしまうという問題が生じる。
【０００７】
また、ホログラムは、これに照射した光の拡散反射光をＣＣＤに導いて画像データを生成した場合、光の照射方向に対するホログラムの向きに応じて全く異なる画像データ（表れる模様や影等が異なる画像のデータ）が得られる。これに対し、ホログラムに照射した光の正反射光をＣＣＤに導いて画像データを生成した場合、ホログラムが有する特徴的な模様や影等が表れない画像データしか得られない。このため、画像読取り装置において、前記要偽造防止物に形成されたホログラムの画像認識を行う場合、読み取った画像データと、予め登録された様々な向きのホログラムの画像データそれぞれとのパターンマッチングを網羅的に行う必要があり、非常に処理負荷が大きくなるという問題点があった。
【０００８】
一方、ＣＤ（コンパクトディスク）は、アルミニウム盤（銀色の部材）の表面に複数層の光透過性の被膜が形成された多層皮膜形成物である。このため、画像読み取り装置により、インク等の現像剤による画像が形成されたＣＤの背面（ＣＤジャケット形成面）の読み取りを行った場合、多層皮膜が露出している部分（現像剤による画像が形成されていない部分）について、複数の皮膜層の境界面それぞれにおいて異なる方向へ反射する反射光が相互に干渉し、その干渉により形成される干渉縞が表れた画像データ、即ち、ユーザが意図しない干渉縞像が表れた低画質の画像データが得られてしまうという問題点があった。
従って、本発明は上記事情に鑑みてなされたものであり、その目的とするところは、金属色の画像が形成された原稿、画像の上に透明テープが貼付された原稿や写真紙原稿（画像形成領域一帯の光沢性が高い原稿）、画像が形成されたＣＤ等の多層皮膜形成物などの様々な被読取対象物について、高画質の画像データを得ることができ、また、要偽造防止物に形成されたホログラムの画像認識処理の負荷を極力小さくすることができる画像読取り装置及び画像読取り方法を提供することにある。
【課題を解決するための手段】
【０００９】
上記目的を達成するために本発明は、特許文献１や特許文献２に示されるように、表面に画像が形成された被読取対象物（原稿）に第１の光を照射したときのその被読取対象物からの拡散反射光と、第２の光を照射したときのその被読取対象物からその表面に略垂直の方向への正反射光との各々を光電変換手段（ＣＣＤがその典型例）に導くことにより、各反射光の輝度分布を表す画像データを前記光電変換手段を通じて取得し、その取得画像データに基づいて出力対象となる読取画像データ（原稿画像データ）を得る画像読取り装置又はその方法であり、さらに以下の（１）〜（４）に示す各構成要素（手段又は手順）を有することを特徴とする。なお、前記第２の光は、必然的に、前記被読取対象物の表面に略垂直の方向から照射される。
（１）前記被読取対象物に前記第１の光を照射したときの前記拡散反射光に基づく拡散反射画像データの取得処理と、前記被読取対象物に前記第２の光を所定の第１強度で照射したときの前記正反射光に基づく第１正反射画像データの取得処理と、前記被読取対象物に前記第２の光を前記第１強度より弱い第２強度で照射したときの前記正反射光に基づく第２正反射画像データの取得処理との切り替え制御を行う画像データ取得制御手段（又は同手順）。
（２）画像上の各位置について、前記拡散反射画像データと前記第１正反射画像データとの輝度比較に基づく第１条件を判別する第１条件判別手段（又は同手順）。
（３）画像上の各位置について、前記第１正反射画像データと前記第２正反射画像データとの輝度比較に基づく第２条件を判別する第２条件判別手段（又は同手順）。
（４）画像上の各位置について、前記第１条件判別手段（又は同手順）及び前記第２条件判別手段（又は同手順）の判別結果に基づいて前記拡散反射画像データの輝度と前記第１正反射画像データの輝度とのいずれかを選択することにより、前記読取画像データを編成する第１選択式読取画像データ編成手段（又は同手順）。
以上に示す各構成要素を有する画像読取り装置（又は同方法）によれば、後述するように、被読取対象物（原稿）に、金属色の画像が形成されている場合、画像形成領域一帯の光沢性が高い場合（画像の上に透明テープが貼付されている場合や写真紙である場合など）と、それ以外の場合とのそれぞれについて、高画質の画像データを得ることができる。
【００１０】
また、本発明は、さらに、次の（５）に示す構成要素を有するものとして構成されればなお好適である。
（５）画像上の各位置について、前記拡散反射画像データの輝度と予め定められた設定輝度との比較に基づく第３条件を判別する第３条件判別手段（又は同手順）。
そしてこの場合、前記第１選択式読取画像データ編成手段（又は同手順）が、前記第３条件判別手段（又は同手順）の判別結果にも基づいて前記拡散反射画像データの輝度と前記第１正反射画像データの輝度とのいずれかを選択するものとして構成される。さらに、前記画像データ取得制御手段（又は同手順）が、前記拡散反射画像データの取得処理の実行後、前記第１選択式読取画像データ編成手段（又は同手順）により、前記第３条件判別手段（又は同手順）の判別結果に基づいて、画像上の全ての位置について前記拡散反射画像データの輝度を選択することが確定されなかった場合に、前記第１正反射画像データの取得処理が実行されるよう制御するものとして構成される。
前記拡散反射光画像データにおける輝度が高い場合、その位置の画像は、非金属色の画像であると確定できる。このため、前記拡散反射光画像データにおける全ての位置の輝度が所定レベル以上であることが確認されれば、正反射光に基づく画像データ（前記第１正反射画像データ及び前記第２正反射画像データ）は不要である。従って、上記構成により、前記第３条件の判別によって全領域の画像が非金属色の画像であることが確定した場合に、正反射光データの取得処理をスキップすることができ、画像読取り処理を高速化できる。
【００１１】
また、本発明は、前記光電変換手段を通じて取得される各画像データが複数の有色画像データ（一般に、Ｒ、Ｇ、Ｂの３色各々の画像データ）により構成される場合に、さらに、次の（６）に示す構成要素を有するものとして構成されればなお好適である。
（６）画像上の各位置について、前記第１正反射画像データを構成する前記複数の有色画像データ相互の輝度バランスに基づく第４条件を判別する第４条件判別手段（又は同手順）。
そしてこの場合、前記第１選択式読取画像データ編成手段（又は同手順）が、前記第４条件判別手段（又は同手順）の判別結果にも基づいて前記拡散反射画像データの輝度と前記第１正反射画像データの輝度とのいずれかを選択するものとして構成される。さらに、前記画像データ取得制御手段（又は同手順）が、前記拡散反射画像データ及び前記第１正反射画像データの取得処理の実行後、前記第１選択式読取画像データ編成手段（又は同手順）により、前記第１条件判別手段（又は同手順）及び前記第４条件判別手段（又は同手順）の判別結果に基づいて、画像上の全ての位置について前記拡散反射画像データの輝度と前記第１正反射画像データの輝度とのいずれを選択するかが確定されなかった場合に、前記第２正反射画像データの取得処理が実行されるよう制御するものとして構成される。
前記第１正反射画像データにおける輝度が、前記拡散反射光画像データにおける輝度に対して相対的に高い場合、その領域は、金属色の画像領域又は画像形成領域一帯の光沢性が高い領域（テープ貼付部等）のいずれかであることが考えられる。
ここで、金属色の画像領域からの正反射光に基づく有色画像データ（カラー画像データ）は、その領域が銀色面（いわゆる鏡面）である場合を除き、各色の輝度バランスは、照射光（前記第２の光）の色を表す輝度バランスと異なるバランスとなる。即ち、照射光が白色光である場合、正反射光に基づく有色画像データは、各色の輝度バランスが不均一なデータ（即ち、着色した状態の画像データ）となる。
一方、画像形成領域一帯の光沢性が高い領域（テープ貼付部等）からの正反射光に基づく有色画像データは、照射光の色を表す輝度バランスとほぼ同じバランスとなる。即ち、照射光が白色光である場合、正反射光に基づく有色画像データは、各色の輝度バランスがほぼ均一なデータ（即ち、着色していない状態の画像データ）となる。
従って、正反射光に基づく有色画像データの輝度バランスが、照射光の色を表す輝度バランスと異なる場合、その位置の画像は、金属色（金色や銅色など）の画像であると確定できる。このため、前記第１正反射画像データにおける輝度が、前記拡散反射光画像データにおける輝度に対して相対的に高く（第１条件の判別結果）、かつ、その第１正反射画像データ（複数の有色画像データ）における輝度バランスが照射光の色を表す輝度バランス（既知）と大きく異なる（第４条件の判別結果）場合、その位置の画像は金属色であり、前記第１正反射画像データの輝度を選択すればよいことを確定できる。
また、前記第１正反射画像データにおける輝度が、前記拡散反射光画像データにおける輝度に対して相対的に低い場合（第１条件の判別結果）、その位置の画像は非金属色であり、前記拡散反射画像データの輝度を選択すればよいことを確定できる。
従って、上記構成により、前記第１条件及び前記第４条件の判別によって全位置について金属色又は非金属色のいずれの画像であるかが確定した場合に、前記第２正反射光データの取得処理をスキップすることができ、画像読取り処理を高速化できる。
【００１２】
また、本発明は、さらに、次の（７）〜（１０）に示す構成要素を有するものとして構成されればなお好適である。
（７）１又は複数の種類のホログラム画像について、そのホログラム画像に照射した光の正反射光に基づく第１ホログラム画像データとそのホログラム画像に照射した光の複数方向への拡散反射光各々に基づく複数の第２ホログラム画像データとが対応付けられて予め記憶されたホログラム画像記憶手段から、前記第１ホログラム画像データを取得する第１ホログラム画像データ取得手段（又は同手順）。
（８）前記第１選択式読取画像データ編成手段（又は同手順）により前記第１正反射画像データの輝度が選択された領域（以下、金属色領域という）の前記第１正反射画像データが、前記第１ホログラム画像データ取得手段により取得された前記第１ホログラム画像データと一致するか否かの判別及び一致する場合の前記金属色領域の画像の向きの特定を行う第１ホログラム画像判別手段（又は同手順）。
（９）前記ホログラム画像記憶手段から、前記第１ホログラム画像判別手段（又は同手順）の判別結果に対応する種類及び向きの前記第２ホログラム画像データを取得する第２ホログラム画像データ取得手段（又は同手順）。
（１０）前記金属色領域の前記拡散反射画像データが、前記第２ホログラム画像データ取得手段（又は同手順）により取得された前記第２ホログラム画像データと一致するか否かを判別する第２ホログラム画像判別手段（又は同手順）。
さらに、上記（７）〜（１０）の構成要素に加えて、次の（１１）に示す構成要素を有するものが考えられる。
（１１）前記第２ホログラム画像判別手段（又は同手順）により前記金属色領域の前記拡散反射画像データが前記第２ホログラム画像データと一致すると判別された場合に、画像データの処理（例えば、印刷処理や外部送信処理等）を制限するデータ処理制限手段（又は同手順）。
前述したように、ホログラムに照射した光の正反射光に基づく画像データは、ホログラムが有する特徴的な模様や影等が表れないものの、その輪郭や凹凸により形成された模様等、ある程度の識別性を有する像が表れる画像データとなる。しかも、その画像データ（第１正反射画像データ）の内容は、光の照射方向によって変化しない。このため、正反射光に基づく画像データ（前記第１正反射画像データ及び前記第１ホログラム画像データ）を用いたパターンマッチング（前記第１ホログラム画像判別手段の処理）により、予め登録されたホログラム画像の中から、被読取対象物に形成されているホログラム画像と一致し得るもの及びその向きを絞り込むことができる。これにより、画像読取り装置において、前記要偽造防止物に形成されたホログラムの画像認識を行う場合、読み取った画像データと、予め登録された全ての向きのホログラムの画像データ（前記第２ホログラム画像データ）それぞれとのパターンマッチングを網羅的に行う必要がなくなり、処理負荷を小さくすることができる。
【００１３】
また、本発明は、さらに、次の（１２）及び（１３）に示す構成要素を有するものとして構成されればなお好適である。
（１２）表面に複数層の光透過性の被膜が形成された多層皮膜形成物（ＣＤがその典型例）の表面に画像が形成された前記被読取対象物を画像の読取り対象とする第１モードとそれ以外の前記被読取対象物を画像の読取り対象とする第２モードとのいずれかを選択するモード選択手段（又は同手順）。
（１３）前記モード選択手段（又は同手順）により前記第１モードが選択された場合に、画像上の各位置について、前記第１条件判別手段（又は同手順）の判別結果に基づいて前記拡散反射画像データの輝度と前記第１正反射画像データの輝度とのいずれかを選択することにより、前記読取画像データを編成する第２選択式読取画像データ編成手段（又は同手順）。
ＣＤなどの多層皮膜形成物の表面（多層皮膜が露出している部分）にほぼ垂直に光を照射した場合、その光のほとんどは、複数の皮膜層の境界面それぞれにおいてほぼ同一方向（照射面にほぼ垂直の方向）に正反射するため、その正反射光に基づく画像データには干渉縞が表れない。従って、前記第２選択式読取画像データ編成手段（又は同手順）により読取画像データを編成すれば、前記第１正反射画像データの輝度が高い位置（多層皮膜が露出している位置）についてはその輝度が、そうでない位置（現像剤による画像が形成された位置）については前記拡散反射画像データの輝度が選択される。その結果、多層皮膜形成物の画像を読み取った場合に、ユーザが意図しない干渉縞像が表れない高画質の画像データが得られる。
【発明の効果】
【００１４】
本発明によれば、被読取対象物（原稿）に、金属色の画像が形成されている場合、画像形成領域一帯の光沢性が高い場合（画像の上に透明テープが貼付されている場合や写真紙である場合など）と、それ以外の場合とのそれぞれについて、高画質の画像データを得ることができる。
また、画像読取り装置により、前記要偽造防止物に形成されたホログラムの画像認識を行う場合、読み取った画像データと、予め登録された全ての向きのホログラムの画像データそれぞれとのパターンマッチングを網羅的に行う必要がなくなり、処理負荷を小さくすることができる。
【発明を実施するための最良の形態】
【００１５】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施の形態に係る画像読取り装置の一例である複写機Ｘの主要部の概略構成を表す断面図、図２は複写機Ｘの制御部周辺の概略構成を表すブロック図、図３は複数の色のパッチ画像が形成された原稿画像イメージとその拡散反射光及び正反射光を読み取って得た画像データの出力イメージとを模式的に表した図、図４は複写機Ｘにおける金属色モード選択時の複写処理の手順を表すフローチャート、図５は複写機Ｘにおける画像データ出力制御処理の手順を表すフローチャート、図６は複写機ＸにおけるＣＤモード選択時の複写処理の手順を表すフローチャート、図７は複写機Ｘが参照する登録モノグラム画像情報のデータ構成の一例を表す図、図８は各種原稿について拡散反射光に基づく画像データ及び正反射光に基づく画像データをグラフ化した図、図９〜図１３は各種原稿について光の照射強度を変化させた場合の正反射光に基づく画像データをグラフ化した図、図１４は各種原稿について正反射光に基づく画像データにおける各色の輝度バランスを表形式で表した図、図１５はＣＤについて拡散反射光に基づく画像データ及び正反射光に基づく画像データをグラフ化した図、図１６は正反射光に基づくホログラムの像と拡散反射光に基づくホログラムの像とを模式的に表した図である。
【００１６】
まず、図１及び図２を用いて、本発明の実施の形態に係る画像読取り装置の一例である複写機Ｘの構成について説明する。
複写機Ｘは、プラテンガラス１１上に載置された原稿１０に照射された光が所定の反射方向Ｃ（原稿面に垂直な方向から微小角度α3（＞０）の方向、即ち、原稿面に対して斜め方向）へ反射する反射光を所定位置（ＣＣＤ部５０の位置）へ導く第１ミラー３１、第２ミラー３２及び第３ミラー３３（前記反射側導光手段の一例）と、これら各ミラー３１〜３３によって導かれた光を集光する結像レンズ４０と、該レンズ４０によって集光された光を入力するＣＣＤ（Ｃｈａｒｇｅ Ｃｏｕｐｌｅｄ Ｄｅｖｉｃｅ）部５０とを具備している。
結像レンズ４０によりＣＣＤ部５０に入力された光は、ＣＣＤ部５０（光電変換手段の一例）が内蔵するカラーラインセンサ５１上で結像される。このカラーラインセンサ５１は、結像レンズ４０からの光をＲ、Ｇ、Ｂ３色のアナログの電気信号に変換する（光電変換する）ものである。そして、このアナログ電気信号は、ＣＣＤ部５０が備えるＡ／Ｄ変換部５２によってデジタルの画像データに変換される。即ち、ＣＣＤ部５０を通じて取得される各画像データは、Ｒ、Ｇ、Ｂ３色の有色画像データにより構成される。
さらに、複写機Ｘは、原稿１０に光を照射する光源（例えば、白色光源）として第１光源２１及び第２光源２２（ハロゲンランプ、キセノンランプ、蛍光灯、ＬＥＤなどの露光ランプ）の２つの光源と、その一方の第２光源２２から原稿１０への光路の途中に設けられた光量調節手段２３とを具備している。
第１光源２１は、原稿１０に対して所定の第１の照射方向Ａ１（原稿面に垂直な方向から角度α0の方向）から光を照射するものであり、第２光源２２は、それとは異なる第２の照射方向Ａ２（原稿面にほぼ垂直の方向（垂直方向から微小角度α2の方向））から原稿１０に光を照射するものである。また、各光源２１、２２は、同一種類の光源であり、それらの光の波長は同じである。
光量調節手段２３は、例えば、液晶シャッタ等からなり、第２の照射方向Ａ２の光路における光（照射光）の通過量を調節（即ち、前記照射方向Ａ２における原稿への照射光の強さを調節）するものである。
ここで、光量調節手段２３は、原稿１０に対する第２の照射方向Ａ２の照射光の強度を第１の照射方向Ａ１の照射光の強度よりも十分に弱い強度である第１強度と、その第１強度よりもさらに弱い第２強度との２段階に調節する（切り替える）ために用いられる。
ここで、第１強度（後述する基準状態の強度）は、原稿１０に対する第２の照射方向Ａ２の照射光を、それをほとんど正反射させる金属色の面（後述する第２基準板１ｂの鏡面）に照射したときにＣＣＤ部５０を通じて得られる輝度が、オーバーフローしない程度の十分に高い輝度（例えば、０〜２５５の範囲における２５２の輝度）となるように調節された強度である。例えば、原稿１０への照射光の強度が、第１光源２１による照射強度と、第２光源２２による第１強度とで、１：（１／１０）〜（１／２０）程度の比となるように設定される。
なお、第１光源２１側にも同様の光量調節手段（不図示）を設ければ、第１及び第２の照射方向Ａ１、Ａ２それぞれからの照射光の強さをより柔軟に調節できる。
各光源２１、２２、光量調節手段２３及び第１ミラー３１はユニット化されて第１走査ユニット３０ａを、第２及び第３のミラー３２、３３はユニット化されて第２走査ユニット３０ｂをそれぞれ構成し、各走査ユニット３０ａ、３０ｂは、原稿１０に沿って（即ち、前記プラテンガラス１１に沿って）所定の副走査方向（図１の紙面に向かって左右方向）に移動可能に構成されている。
【００１７】
第１の照射方向Ａ１は、反射方向Ｃへの反射光が拡散反射光となるように、即ち、第１の照射方向Ａ１の光の正反射方向Ｂと反射方向Ｃとが比較的大きく異なる（例えば、約４０°異なる）方向となるように設定されている。これにより、第１の照射方向Ａ１から原稿１０に光が照射された場合、主としてその拡散反射光のみが各ミラー３１〜３３によってＣＣＤ部５０へ導かれることになる。
一方、第１の照射方向Ａ１の角度α2（微小角度）と反射方向Ｃの角度とは、原稿１０面に垂直な方向に対してほぼ対称（α2≒α3）となるよう構成されている。これにより、第２の照射方向Ａ２から原稿１０に光が照射された場合、主としてその正反射光が各ミラー３１〜３３によってＣＣＤ部５０へ導かれることになる。
以下、原稿１０に対して第１光源２１による第１の照射方向Ａ１の光照射を行うことを第１露光という。同様に、原稿１０に対して第２光源２２による第２の照射方向Ａ２の光照射を行うことを第２露光という。
さらに、前記第１露光によって得られる画像データ、即ち、原稿１０からの拡散反射光に基づいて得られる画像データを、以下、拡散反射画像データという。
また、前記第２露光によって得られる画像データ、即ち、原稿１０からの正反射光に基づいて得られる画像データのうち、光量調節手段２３によって前記第２露光の光照射強度を前記第１強度及びそれより弱い前記第２強度の各々に設定して得られる画像データ各々を、以下、第１正反射画像データ及び第２正反射画像データという。また、正反射光に基づく画像データを総称して、正反射画像データという。
【００１８】
複写機Ｘは、原稿１０をプラテンガラス１１上に静止させ、第１及び第２の走査ユニット３０ａ、３０ｂを移動させて画像を読取る光学系移動方式と、第１及び第２の走査ユニット３０ａ、３０ｂを所定位置に静止させ、原稿１０を搬送させながら原稿画像を読取る原稿移動方式とのいずれの方式でも原稿の画像を読取ることが可能である。ここでは、前記光学系移動方式について説明する。
光学系移動方式では、プラテンガラス１１の下側において、第１走査ユニット３０ａが、プラテンガラス１１に沿って平行に一定速度Ｖで移動しながら原稿１０を照明する。そして、原稿１０からの前記反射方向Ｃへ反射する反射光が、第１走査ユニット３０ａに追随（連動）してＶ／２の速度で移動する第２走査ユニット３０ｂにより、ＣＣＤ部５０に導かれる。第２走査ユニット３０ｂは、ワイヤ等によるリンク機構によって第１走査ユニット３０ａと連動するよう構成されている。
複写機Ｘは、結像レンズ４０及びＣＣＤ部５０を固定する構成であるが、これに限るものでなく、例えば、各光源２１、２２、結像レンズ４０及びＣＣＤ部５０をユニット化して構成した縮小読取光学系又は等倍読取光学系のユニットを所定速度Ｖで走査させる構成であってもよい。
【００１９】
また、プラテンガラス１１に沿った所定の基準位置には、主走査方向に伸びて形成された第１基準板１ａと第２基準板１ｂとが設けられている。
第１基準板１ａは、その下側（第１光源２１が存在する側）に均一の白色や淡い彩色（淡い黄色など）の平面が形成された板状の部材である。この第１基準板１ａは、前記第１露光の基準状態を調節するために用いられる。
また、第２基準板１ｂは、その下側（第２光源２２が存在する側）に平面状の鏡面が形成された板状の部材である。この第２基準板１ｂは、前記第２露光の基準状態を調節するために用いられる。具体的には、制御部６０が、以下のような処理が実行されるよう制御することにより各露光の基準状態の調節が行われる。
第１露光の基準状態を調節する場合、まず、制御部６０は、第１走査ユニット３０ａを第１基準板１ａに対向する位置に移動させた状態で、第１光源２１の光を第１基準板１ａに照射させることにより、ＣＣＤ部５０を通じて１ライン分の画像データを得る。
さらに、制御部６０は、得られた１ライン分の画像データの各輝度が、オーバーフローしない予め定められた輝度（例えば、０〜２５５の輝度範囲における２５２の輝度）となるように、ＣＣＤ部５０の感度を調節する。これにより、原稿１０に対して第１露光を行った場合に、前記拡散反射画像データの輝度がオーバーフローしない状態（基準状態）となるよう、ＣＣＤ部５０の感度が調節される。
同様に、第２露光の基準状態を調節する場合、まず、制御部６０は、第２走査ユニット３０ａを第２基準板１ｂに対向する位置に移動させた状態で、第２光源２０の光を第２基準板１ｂに照射させることにより、ＣＣＤ部５０を通じて１ライン分の画像データを得る。
さらに、制御部６０は、得られた１ライン分の画像データの各輝度が、オーバーフローしない予め定められた輝度（例えば、０〜２５５の輝度範囲における２５２の輝度）となるように、光量調節手段２３における光透過量の調節（原稿１０への光照射強度の調節）と、ＣＣＤ部５０の感度調節とを行う。例えば、１ライン分の輝度のうち、その最大輝度が予め定められた輝度となるよう光量調節手段２３の光透過量を調節し、１ライン分の各輝度がその最大輝度と一致するように、ＣＣＤ部５０の感度を調節する。これにより、原稿１０に対して第２露光を行った場合に、前記第１正反射画像データの輝度がオーバーフローしない状態（基準状態）となるよう調節される。
【００２０】
以上に示したように、複写機Ｘは、原稿１０（表面に画像が形成された被読取対象物）に第１光源２１の光を照射したときの原稿１０からの拡散反射光、と第２光源２２の光を照射したときの原稿１０からその表面にほぼ垂直の方向Ｃへの正反射光との各々をＣＣＤ部５０に導くことにより、各反射光の輝度分布を表す画像データ（拡散反射画像データ及び正反射画像データ）をＣＣＤ部５０を通じて取得し、その取得画像データに基づいて出力対象となる読取画像データを得る画像読取り装置の一例である。
ここで、制御部６０は、原稿１０に第１露光を行ったときの拡散反射画像データの取得処理と、第２露光を前記第１強度で行ったときの第１正反射画像データの取得処理と、第２露光を第１強度よりも弱い前記第２強度で行ったときの第２正反射画像データの取得処理との切り替え制御を行う（画像データ取得制御手段の一例）。
【００２１】
また、複写機Ｘは、原稿からの画像を読み取って複写する複写処理のモードとして、通常モードと、金属色モードと、ＣＤモードとの３種類のモードの切り替えが可能に構成されている。
通常モードとは、従来の一般的な複写モードであり、いわゆる普通紙の原稿から通常のモノクロ若しくはカラーの画像（金属色以外の画像）を読み取り、その読取画像データを得て印刷するモードである。この通常モードでは、複写機Ｘは、前記第１露光（第１光源２１による露光）によってＣＣＤ部５０を通じて前記拡散反射画像データを取得し、その拡散反射画像データを原稿１０からの読取画像データとする。
金属色モードとは、金属色の画像が形成されている原稿から画像を読み取り、その金属色の画像が正しく現れる画像データを得て印刷するモードである。この金属色モードでは、複写機Ｘは、前記第１露光に加え、必要に応じてさらに前記第２露光を行うことにより、前記拡散反射画像データと、前記第１正反射画像データ及び前記第２正反射画像データとを取得し、それら画像データに基づいて原稿１０からの読取画像データを編成する。
ＣＤモードとは、ＣＤ（コンパクトディスク）等の多層皮膜形成物からその表面に形成された画像（ＣＤジャケットがその典型例）を読み取り、その読取画像データを得て印刷するモードである。このＣＤモードでは、複写機Ｘは、前記第１露光と前記第２露光とを行うことにより、前記拡散反射画像データと前記第１正反射画像データとを取得し、それら画像データに基づいて原稿１０からの読取画像データを編成する。
なお、金属色モード及びＣＤモードにおける処理の詳細については後述する。
【００２２】
図２は、複写機Ｘの制御部周辺の概略構成を表すブロック図である。
複写機Ｘは、ＣＰＵ、ＲＯＭ、ＲＡＭ等（不図示）を備えて所定のプログラムを実行することにより、各種制御を行う制御部６０を備えている。この制御部６０は、前述した第１走査ユニット３０ａ及びＣＣＤ部５０の他、位置検出器６１、駆動モータ６２、液晶タッチパネル等からなる操作・表示部６３、印刷部６４、画像処理部６５及びハードディスクドライブ６８（以下、ＨＤＤという）と接続されている。
制御部６０は、位置検出器６１（センサ）によって検出された第１走査ユニット３０ａの位置フィードバックしながら、第１走査ユニット３０の位置を移動させるための駆動源である駆動モータ６２を制御する。さらに制御部６０は、第１走査ユニット３０ａにおける光量調節手段２３の光の通過量制御（前記第２露光における光照射強度の制御）や、各光源２１、２２の点灯／消灯（ＯＮ／ＯＦＦ）制御、操作・表示部６３を通じた操作入力情報の入力、印刷部６４の制御等、当該複写機Ｘ全体の各種制御を行う。
さらに、制御部６０は、操作・表示部６３を通じて入力される操作入力情報に従って、当該複写機Ｘの動作モードを、前記通常モード（第２モードの一例）と、前記金属色モード（第２モードの一例）と、前記ＣＤモード（第１モードの一例）との３種類の中から選択する（動作モードを切り替える）処理を実行する（モード選択手段の一例）。金属色モード及びＣＤモードそれぞれにおける処理の詳細については後述する。
また、画像処理部６５は、ＣＣＤ部５０により生成された画像データを画像メモリ６６に一時記憶し、所定の演算処理部６７によって各種画像処理を行い、その処理後の画像データに基づいて、印刷部６４が記録紙への画像の印刷（画像形成）を行う。その他、画像処理部６５は、演算処理部６７により、２つの画像データが一致するか否かを判別するパターンマッチング処理を実行する。
また、ＨＤＤ６８には、制御部６０によって参照或いは記録される各種のデータが記憶される。そのデータには、後述する登録ホログラム画像情報が含まれる。登録ホログラム画像情報は、例えば、紙幣やクレジットカード等、偽造防止が極めて重要である物（前記要偽造防止物）の一部に印刷されている特定のホログラムに関する情報であり、その特定のホログラムの画像データを含む情報である。その詳細については後述する。
【００２３】
次に、図８〜図１３に示すグラフ及び図１４を参照しつつ、７種類の原稿（原稿Ａ〜原稿Ｆ）各々について複写機Ｘにおいて取得される画像データの特性について説明する。ここで、原稿Ａ〜原稿Ｆは、それぞれ以下のような原稿である。
原稿Ａ：光沢性をほとんど有さないＧＲＡＹ７５％の色のつや消し用紙。
原稿Ｂ：鏡（均一な銀色の金属平面）。
原稿Ｃ：純金（均一な金色の金属平面）。
原稿Ｄ：金色の折り紙。
原稿Ｅ：光沢性をほとんど有さないＧＲＡＹ７５％の色のつや消し用紙の表面に透明テープ（透明のセロファンテープ）が貼付されたもの。
原稿Ｆ：光沢性が高いＧＲＡＹ７５％の色の写真用紙。
即ち、原稿Ｅ及び原稿Ｆが、画像形成領域一帯の光沢性が高い原稿の一例である。
また、図８〜図１３において、縦軸は輝度を表し、正方形の印は正反射光に基づく画像データの輝度（第１正反射画像データ又は第２正反射画像データの輝度）、正三角形の印は拡散反射画像データの輝度を表す。ここで、光の強度は、Ｒ（赤）の画像データの輝度、Ｇ（緑）の画像データの輝度及びＢ（青）の画像データの輝度を、０．２９８９１２（Ｒ）：０．５８６６１１（Ｇ）：０．１１４４７８（Ｂ）で加重平均して得られる輝度（モノクロ画像データの輝度に換算した輝度）である。
【００２４】
まず、図８について説明する。図８は、７種類の原稿（原稿Ａ〜原稿Ｆ）各々について、拡散反射光に基づく画像データ（拡散反射画像データ）及び第１正反射画像データ（正反射光に基づく画像データ）をグラフ化した図である。
図８に示されるように、原稿Ａ（つや消し用紙）では、第１正反射画像データの輝度は、拡散反射画像データの輝度に比べて十分に低い。これに対し、原稿Ｂ〜原稿Ｆでは、第１正反射画像データの輝度は、拡散反射画像データの輝度に比べて高い。もちろん、画像の色（濃度）によって輝度の絶対値は変動し得るが、拡散反射画像データの輝度が、第１正反射画像データの輝度に対して所定レベル以上（例えば、拡散反射画像データの輝度≧第１正反射画像データの輝度）であれば、その画像は非金属色であると判断でき、拡散反射画像データの輝度を読取画像データの輝度として採用すればよいことがわかる。
一方、第１正反射画像データの輝度が、拡散反射画像データの輝度に対して一定レベル以上である場合、原稿Ｂ〜原稿Ｄのように、第１正反射画像データの輝度を読取画像データの輝度として採用すべき金属色の原稿である場合と、原稿Ｅ（透明テープ貼付）や原稿Ｆ（写真用紙）のように、拡散反射画像データの輝度を読取画像データの輝度として採用すべき原稿である場合（図８において破線で囲んだもの）とが存在する。
従って、第１正反射画像データの輝度と拡散反射画像データの輝度との比較のみに基づいていずれの輝度を採用するか（選択するか）を判別すると、原稿が原稿Ｅや原稿Ｆである場合に正しい（高画質の）読取画像データが得られない。
【００２５】
一方、図９〜図１３は、各原稿（原稿Ｂ〜原稿Ｆ）について、原稿１０に対する第２光源２２の光照射強度を変化させた場合の正反射画像データ（正反射光に基づく画像データ）をグラフ化した図である。図９〜図１３において、横軸は、第２光源２２の光を原稿に前記第１強度で照射したときの原稿面における照度を基準（１．００）としたときの光の照射強度（原稿面における照度）の相対値を表す。即ち、光照射強度が１．００であるときの正反射画像データが、第１正反射画像データである。
図９〜図１３からわかるように、画像形成領域一帯の光沢性が高い原稿Ｅ及び原稿Ｆ（図１２、図１３）では、金属色の原稿Ｂ〜原稿Ｄ（図９〜図１１）に比べ、原稿に対する光の照射強度を弱めたときの正反射画像データの輝度の変化（減衰度合い）が特に大きい。
例えば、光の照射強度を基準（１．００）に対して０．１４倍にした場合、金属色の原稿Ｂ〜原稿Ｄ（図９〜図１１）では、正反射画像データの輝度は、０％〜２０％程度しか減衰しないのに対し、画像形成領域一帯の光沢性が高い原稿Ｅ及び原稿Ｆ（図１２、図１３）では、６０％程度減衰している。
従って、第１正反射画像データの輝度が、拡散反射画像データの輝度に対して一定レベル以上（例えば、第１正反射画像データの輝度＞拡散反射画像データの輝度）である場合、その原稿に対する照射光の強度を弱めたときの輝度変化の程度を観測すれば、拡散反射画像データの輝度を採用すべき原稿Ｅ及び原稿Ｆと、第１正反射画像データの輝度を採用すべき金属色の原稿Ｂ〜原稿Ｄとを識別できることがわかる。
【００２６】
一方、図１４は、各原稿（原稿Ｂ〜原稿Ｆ）について正反射画像データにおける各色（Ｒ、Ｇ、Ｂ）の輝度バランスを表形式で表した図である。
図１４からわかるように、銀色（鏡）の原稿Ｂ及び画像形成領域一帯の光沢性が高い原稿Ｅ、Ｆでは、（Ｒ、Ｇ、Ｂ）の輝度バランスが均一である（即ち、白色光源である第２光源２２の光とほぼ同一の輝度バランス）のに対し、銀色（鏡）の原稿Ｂを除く他の金属色の原稿Ｃ及び原稿Ｄでは、（Ｒ、Ｇ、Ｂ）の輝度バランスが不均一である（即ち、白色光源である第２光源２２の光の色を表す輝度バランスと異なる）。
従って、第１正反射画像データの輝度が拡散反射画像データの輝度に対して一定レベル以上（例えば、第１正反射画像データの輝度＞拡散反射画像データの輝度）である場合、第１正反射画像データにおける（Ｒ、Ｇ、Ｂ）の輝度バランスが、第２光源２２の光の色を表す輝度バランスと異なれば、その原稿は銀色以外の金属色の原稿Ｃ及び原稿Ｄ（第１正反射画像データの輝度を採用すべき原稿）であると特定できることがわかる。
【００２７】
次に、図１５に示すグラフを参照しつつ、原稿をＣＤ（コンパクトディスク）とした場合にＣＤ表面の各々異なる部分（部分Ａ〜部分Ｄ）について、複写機Ｘにおいて取得される画像データの特性について説明する。図１５において、部分Ａ〜部分Ｄは、ＣＤにおけるそれぞれ以下のような部分である。
部分Ａ：銀色の多層皮膜の部分であって、干渉縞が存在しない部分。
部分Ｂ：銀色の多層皮膜の部分であって、干渉縞が存在する部分。
部分Ｃ：ＣＤ表面（銀色の多層皮膜の部分の表面）に黒色の画像が印刷された部分（黒色の現像剤の像が形成された部分）。
部分Ｄ：ＣＤ表面（銀色の多層皮膜の部分の表面）に赤色の画像が印刷された部分（赤色の現像剤の像が形成された部分）。
図１５からわかるように、正反射画像データ  銀色の多層皮膜の部分（非画像形成部分）は、干渉縞の有無によって散乱反射画像データの輝度が多少上下するものの、散乱反射画像データの輝度に対する正反射画像データの輝度が比較的高い。
一方、ＣＤ表面に画像が形成された部分は、正反射画像データの輝度に対する散乱反射画像データの輝度が比較的高い。
従って、複写機ＸによってＣＤジャケットの画像を読み取る場合、拡散反射画像データの輝度と第１正反射画像データの輝度とを比較することにより、第１正反射画像データの輝度を読取画像データの輝度として採用すべき銀色の多層皮膜の部分と、拡散反射画像データの輝度を読取画像データの輝度として採用すべき画像印刷部分とを識別できる。
【００２８】
次に、図１６を参照しつつ、複写機Ｘによりホログラムの画像を読み取った場合の画像データの特性について説明する。
図１６は、正反射光に基づくホログラムの像と拡散反射光に基づくホログラムの像とを模式的に表した図である。ここで、図１６（ａ）は、ホログラムをプラテンガラス１１（原稿台）上で所定の向き（０度）から９０度ずつ回転させて載置させた各状態において、第２光源２２を照射したときの正反射光に基づく像を表す。また、図１６（ｂ）は、ホログラムをプラテンガラス１１（原稿台）上で所定の向き（０度）から９０度ずつ回転させて載置させた各状態において、第１光源２１を照射したときの拡散反射光に基づく像を表す。
図１６（ｂ）に示すように、ホログラムに照射した光の拡散反射光に基づく像（拡散反射画像データの内容）は、光の照射方向に対するホログラムの向きに応じて、表れる模様や影等が全く異なる。
一方、図１６（ａ）に示すように、ホログラムに照射した光の正反射光に基づく像（正反射画像データの内容）は、光の照射方向に対するホログラムの向きに関わらず、その向きが異なる以外は同一（像そのものが同一）である。即ち、正反射光に基づくホログラムの像は、そのホログラムの輪郭及びそのホログラム内に存在する凹凸や現像剤（インク等）に起因する像であり、その像には、金属箔の部分における光の拡散反射により生じるホログラム特有の模様や影（見る方向によって異なる模様や影）は表れない。
従って、ホログラムについては、予めそのホログラムに光を照射したときの正反射光に基づく画像データを１つ登録（記憶）しておき、その登録された画像データと、ある原稿について複写機Ｘにより得られた第１正反射画像データとのパターンマッチング（一致、不一致の画像認識処理）を行った場合に、両画像が一致しないことが確認されれば、その第１正反射画像データは、登録されたホログラムの画像を表す画像データではないといえる。
一方、登録されたホログラムの正反射光に基づく画像データと、ある原稿について複写機Ｘにより得られた第１正反射画像データとが、パターンマッチングにより一致することが確認されれば、その第１正反射画像データは、登録されたホログラムの画像を表す画像データである可能性があるといえる。さらに、そのパターンマッチングにおいて第１正反射画像データと一致するときの登録画像データの向き（パターンマッチングの処理において調整された向き）により、プラテンガラス１１上に載置された原稿におけるホログラムの向きを特定できる。
【００２９】
複写装置Ｘは、図８〜図１６に基づいて説明した特性に対応したデータ処理を行うことにより、金属色の画像が形成された原稿、画像の上に透明テープが貼付された原稿や写真紙原稿（画像形成領域一帯の光沢性が高い原稿）、画像が形成されたＣＤ等の多層皮膜形成物などの様々な被読取対象物について、高画質の画像データを得るとともに、要偽造防止物に形成されたホログラムの画像認識処理の負荷を極力小さくするよう構成されている。以下、その内容について説明する。
まず、図４に示すフローチャートを参照しつつ、複写機Ｘにおける前記金属色モードが選択されているときの複写処理について説明する。以下、Ｓ１、Ｓ２、…は、処理手順（ステップ）の番号を表す。図４に示す処理は、利用者により、予め操作・表示部６３を通じて前記金属モードが選択され、プラテンガラス１１上に原稿１０が載置された状態で、操作・表示部６３から所定の読み取り開始操作がなされたときから開始される。
［ステップＳ１］
まず、前記読取り開始操作がなされると、制御部６０は、前述した要領で前記第１基準板１ａに第１光源２１の光を照射することにより、前記第１露光を基準状態に調節する処理を実行する（Ｓ１）。これにより、原稿１０に対して第１露光を行った場合に、前記拡散反射画像データの輝度がオーバーフローしない状態（基準状態）となるよう、ＣＣＤ部５０の感度が調節される。
【００３０】
［ステップＳ２］
次に、制御部６０は、原稿１０に第１露光を行うことによって前記拡散反射画像データを取得する処理を実行する（Ｓ２）。
具体的には、制御部６０は、第１光源２１及び駆動モータ６２を制御することにより、第１露光を行いつつ予め設定された原稿１０の画像読取り範囲全体について第１走査ユニット３０ａを走査させ、ＣＣＤ部５０を通じて前記拡散反射画像データを取得し、これを画像メモリ６６に記憶させる。このとき、第２光源２２は消灯（ＯＦＦ）状態とする。なお、図４には、拡散反射画像データのことを「第１データ」と記し、そのデータを構成する各輝度を「第１輝度」と記している。
【００３１】
［ステップＳ３］
次に、画像処理部６５は、ステップＳ２で取得した拡散反射画像データ（第１データ）の全ての画素各々（画像上の各位置）について、その輝度が所定の設定輝度以上であるか否か（以下、条件Ａという）の判別を行う（Ｓ３）。ここで、画像処理部６５は、条件Ａが成立した画素（位置）については、その輝度（拡散反射画像データの輝度）を、原稿１０からの読取画像データの輝度として採用する（選択する）ことを確定させる（Ｓ３、第３条件判別手段の一例）。ここで、設定輝度は、例えば０〜２５５の範囲における２００程度の比較的高い輝度である。なお、条件Ａが、散反射画像データの輝度と予め定められた設定輝度との比較に基づく第３条件の一例である。
図８に示したグラフからわかるように、金属色の画像（原稿）を読み取った場合の拡散反射画像データの輝度は、いずれもその絶対値が比較的小さい。従って、このステップＳ３の処理のように、拡散反射画像データの輝度が高い場合、その画素（位置）の画像は、拡散反射画像データの輝度を採用すべき非金属色の画像であると確定できる。
【００３２】
［ステップＳ４］
次に、画像処理部６５は、ステップＳ３の処理の結果、全ての画素（全位置）について、拡散反射画像データの輝度が、原稿１０からの読取画像データの輝度として選択（採用）されたことが確定したか否かを判別する（Ｓ４）。
ここで、全ての画素について、拡散反射画像データの輝度を選択することが確定している場合、もはや正反射画像データを取得する必要はないため、制御部６０は、正反射画像データの取得に関するステップＳ５〜Ｓ１３の処理をスキップし、処理を後述するステップＳ１４へ移行させる。
一方、ステップＳ３の処理の結果、１つ以上の画素について、拡散反射画像データの輝度を選択することが確定していない場合、制御部６０は、処理を次のステップＳ５へ移行させる。
【００３３】
［ステップＳ５、Ｓ６］
ステップＳ５では、制御部６０は、前述した要領で前記第２基準板１ｂに第２光源２２の光を照射することにより、前記第２露光を基準状態に調節する処理を実行する（Ｓ５）。これにより、原稿１０に対して第２露光を行った場合に、金属色の画像の部分においても前記正反射画像データの輝度がオーバーフローしない状態（基準状態）となるように、光量調節手段２３の光透過度合い及びＣＣＤ部５０の感度が調節される。
次に、制御部６０は、原稿１０に基準状態での第２露光を行うことによって前記第１正反射画像データを取得する処理を実行する（Ｓ６）。
具体的には、制御部６０は、第２光源２２及び駆動モータ６２を制御することにより、第２露光を行いつつ予め設定された原稿１０の画像読取り範囲全体について第１走査ユニット３０ａを走査させ、ＣＣＤ部５０を通じて第１正反射画像データを取得し、これを画像メモリ６６に記憶させる。このとき、第１光源２１は消灯（ＯＦＦ）状態とする。なお、図４には、第１正反射画像データのことを「第２データ」と記し、そのデータを構成する各輝度を「第１輝度」と記している。
【００３４】
［ステップＳ７］
次に、画像処理部６５は、全ての画素のうち輝度の選択が確定していない画素（未確定位置）各々について、ステップＳ２で取得した拡散反射画像データの輝度（第１輝度）が、ステップＳ６で取得した第１正反射画像データの輝度（第２輝度）に対して一定レベル以上であるか否か（以下、条件Ｂという）の判別を行う（Ｓ７）。ここで、画像処理部６５は、条件Ｂが成立した画素（位置）については、第１輝度（拡散反射画像データの輝度）を、原稿１０からの読取画像データの輝度として採用する（選択する）ことを確定させる（Ｓ７、第１条件判別手段の一例）。例えば、条件Ｂは、「第１輝度≧第２輝度」である。なお、条件Ｂが、拡散反射画像データと第１正反射画像データとの輝度比較に基づく第１条件の一例である。
図８に示したグラフからわかるように、金属色の画像（原稿）を読み取った場合の第１正反射画像データの輝度は、いずれも拡散反射画像データの輝度に対して比較的高い輝度となる。従って、このステップＳ７の処理のように、第１正反射画像データの輝度に対する拡散反射画像データの輝度が一定レベル以上である場合、その画素（位置）の画像は、拡散反射画像データの輝度を採用すべき非金属色の画像であると確定できる。
【００３５】
［ステップＳ８］
次に、画像処理部６５は、ステップＳ３及びＳ７の処理の結果、全ての画素（全位置）について、拡散反射画像データの輝度が、原稿１０からの読取画像データの輝度として選択（採用）されたことが確定したか否かを判別する（Ｓ８）。
ここで、全ての画素について、拡散反射画像データの輝度を選択することが確定している場合、もはや他の条件の判別や前記第２正反射画像データの取得を行う必要はないため、制御部６０は、他の条件判別及び第２正反射画像データの取得に関するステップＳ９〜Ｓ１３の処理をスキップし、処理を後述するステップＳ１４へ移行させる。
一方、ステップＳ３及びＳ７の処理の結果、１つ以上の画素について、拡散反射画像データの輝度を選択することが確定していない場合、制御部６０は、処理を次のステップＳ９へ移行させる。
【００３６】
［ステップＳ９］
ステップＳ９では、画像処理部６５は、全ての画素のうち輝度の選択が確定していない画素（未確定位置）各々について、ステップＳ６で取得した第１正反射画像データ（第２データ）を構成するＲ、Ｇ、Ｂの各色の画像データ（有色画像データ）相互の輝度バランスが、第２光源２２の光の色と異なる色（着色された状態）を表す輝度バランスとなっているか否か（以下、条件Ｃという）の判別を行う（Ｓ９）。ここで、画像処理部６５は、条件Ｃが成立した画素（位置）については、第２輝度（第１正反射画像データの輝度）を、原稿１０からの読取画像データの輝度として採用する（選択する）ことを確定させる（Ｓ９、第４条件判別手段の一例）。ここで、第２光源２２が白色光源である場合の条件Ｃは、例えば、Ｒ、Ｇ、Ｂの各輝度相互間の最大差（絶対値）が、予め設定された輝度差以上であることを条件とする。なお、条件Ｃが、第１正反射画像データを構成する複数の有色画像データ相互の輝度バランスに基づく第４条件の一例である。
図１４に示したデータからわかるように、第１正反射画像データの輝度（第２輝度）が拡散反射画像データの輝度（第１輝度）に対して一定レベル以上（条件Ｂが不成立）である場合、第１正反射画像データにおける（Ｒ、Ｇ、Ｂ）の輝度バランスが、第２光源２２の光の色を表す輝度バランスと異なれば、その画素は、銀色以外の金属色の画像部分（前記原稿Ｃ及び原稿Ｄに相当）、即ち、第１正反射画像データの輝度を採用すべき部分であるといえる。従って、このステップＳ９の処理のように、拡散反射画像データの輝度に対する第１正反射画像データの輝度が一定レベル以上である（条件Ｂが不成立である）場合であって、第１正反射画像データの（Ｒ、Ｇ、Ｂ）の輝度バランスが光源の色に対して着色した状態であれば、その画素（位置）の画像は、第１正反射画像データの輝度を採用すべき金属色（但し、銀色以外）の画像であると確定できる。
【００３７】
［ステップＳ１０］
次に、画像処理部６５は、ステップＳ３、Ｓ７及びＳ９の処理の結果、全ての画素（全位置）について、拡散反射画像データ又は第１正反射画像データのいずれかの輝度が、原稿１０からの読取画像データの輝度として選択（採用）されたことが確定したか否かを判別する（Ｓ１０）。
ここで、全ての画素について、いずれの輝度を選択するかが確定している場合、もはや前記第２正反射画像データの取得を行う必要はないため、制御部６０は、第２正反射画像データの取得に関するステップＳ１１〜Ｓ１３の処理をスキップし、処理を後述するステップＳ１４へ移行させる。
一方、ステップＳ３、Ｓ７及びＳ９の処理の結果、１つ以上の画素について、いずれの輝度を選択するかが確定していない場合、制御部６０は、処理を次のステップＳ１１へ移行させる。
【００３８】
［ステップＳ１１、Ｓ１２］
ステップＳ１１では、制御部６０は、前記第２露光の強度が、ステップＳ５で調節された基準状態よりもさらに弱い前記第２強度まで減衰させるように光量調節手段２３を調節し（Ｓ１１）、その上で、ステップＳ６と同様に、原稿１０に前記第２強度での第２露光を行うことによって前記第２正反射画像データを取得する処理を実行する（Ｓ１２）。ここで、図９〜図１３に示すグラフから、第１強度に対する第２強度の比（原稿における照度の比）を、例えば、０．１５〜０．１０程度とすることが考えられる。なお、図４には、第２正反射画像データのことを「第３データ」と記し、そのデータを構成する各輝度を「第３輝度」と記している。
【００３９】
［ステップＳ１３］
次に、画像処理部６５は、全ての画素のうち輝度の選択が確定していない画素（未確定位置）各々について、ステップＳ６で取得した第１正反射画像データの輝度（第２輝度）と、ステップＳ１２で取得した第２正反射画像データの輝度（第３輝度）とを比較し、それらの輝度の差異が所定の差異以上であるか否か（以下、条件Ｄという）の判別を行う（Ｓ１３）。ここで、画像処理部６５は、条件Ｄが成立した画素（位置）については、第２輝度（第１正反射画像データの輝度）を、条件Ｄが成立しなかった画素については、第１輝度（拡散反射画像データの輝度）を、原稿１０からの読取画像データの輝度として採用する（選択する）ことを確定させる（Ｓ１３、第２条件判別手段の一例）。ここで、条件Ｄは、例えば、第１正反射画像データの輝度（第２輝度）に対する第２正反射画像データの輝度（第３輝度）の比が、予め設定された設定比未満であることを条件とする。あるいは、両輝度の差が所定レベル以上であることを条件Ｄとすることも考えられる。なお、条件Ｄが、第１正反射画像データと第２正反射画像データとの輝度比較に基づく第２条件の一例である。
図９〜図１３に示したグラフからわかるように、第１正反射画像データの輝度（第２輝度）が拡散反射画像データの輝度（第１輝度）に対して一定レベル以上（条件Ｂが不成立）である場合、第１正反射画像データの輝度（第２輝度）と第２正反射画像データの輝度（第３輝度）との差異が大きければ、その画素は、画像形成領域一帯の光沢性が高い部分（透明テープの貼付部や写真紙の部分）、即ち、拡散反射画像データの輝度を採用すべき部分であるといえる。
一方、第１正反射画像データの輝度（第２輝度）が拡散反射画像データの輝度（第１輝度）に対して一定レベル以上（条件Ｂが不成立）である場合、第１正反射画像データの輝度（第２輝度）と第２正反射画像データの輝度（第３輝度）との差異が比較的小さければ、その画素は、金属色の部分、即ち、第１正反射画像データの輝度を採用すべき部分であるといえる。
従って、このステップＳ１３の処理のように、拡散反射画像データの輝度に対する第１正反射画像データの輝度が一定レベル以上である（条件Ｂが不成立である）場合であって、第１正反射画像データの輝度（第２輝度）と第２正反射画像データの輝度（第３輝度）との輝度が大きい場合には、その画素（位置）の画像は、散乱反射画像データの輝度を採用すべき画像であると確定でき、そうでなければ、第１正反射画像データの輝度を採用すべき金属色の画像であると確定できる。
【００４０】
［ステップＳ１４、Ｓ１５］
次に、画像処理部６５は、条件Ａ〜条件Ｄの判別結果に基づく輝度選択処理（ステップＳ３、Ｓ７、Ｓ９及びＳ１３）により選択（採用）が確定した拡散反射画像データ又は第１正反射画像データのいずれかの輝度を各画素（位置）ごとに採用することにより、出力対象となる読取画像データを編成する（Ｓ１４、第１選択式読取画像データ編成手段の一例）。編成された読取画像データは、画像処理部６５の画像メモリ６６に記憶される。
最後に、制御部６０及び画像処理部６５は、編成された読取画像データに基づいて、後述する画像データ出力制御処理を実行し（Ｓ１５）、その後、金属色モードにおける複写処理を終了させる。
画像データ出力制御処理は、編成された読取画像データに、紙幣やクレジットカードなどの前記要偽造防止物に形成されるホログラムを表す画像データが含まれるか否かを判別し、そのようなホログラムの画像データが含まれる場合に、その読取画像データの処理（ここでは、印刷処理）を制限し、そのようなホログラムの画像データが含まれていない場合にのみ、読取画像データに基づく処理（印刷処理）を実行するよう制御する処理である。
【００４１】
以上に示したように、制御部６０（画像データ取得制御手段の一例）は、拡散反射画像データの取得処理（Ｓ２）の実行後、画像処理部６５（第１選択式読取画像データ編成手段の一例）により、条件Ａ（第３条件の一例）の判別処理（Ｓ３）の結果に基づいて、画像上の全ての位置（画素）について拡散反射画像データの輝度（第１輝度）を選択することが確定されなかった場合に、第１正反射画像データの取得処理（Ｓ６）が実行されるよう制御する。
これにより、条件Ａの判別によって全領域の画像が非金属色の画像であることが確定した場合に、正反射画像データの取得処理（Ｓ６、Ｓ１２）をスキップすることができ、画像読取り処理を高速化できる。
また、制御部６０は、拡散反射画像データ及び第１正反射画像データの取得処理（Ｓ２、Ｓ６）の実行後、画像処理部６５によるステップＳ９の処理により、条件Ｂの判別（Ｓ７）及び条件Ｃの判別（Ｓ９）の各結果に基づいて、画像上の全ての位置について拡散反射画像データの輝度と第１正反射画像データの輝度とのいずれを選択するかが確定されなかった場合に、第２正反射画像データの取得処理（Ｓ１２）が実行されるよう制御する。
これにより、条件Ｂ及び条件Ｃの判別によって全位置について金属色又は非金属色のいずれの画像であるかが確定した場合に、第２正反射光データの取得処理（Ｓ１２）をスキップすることができ、画像読取り処理を高速化できる。
【００４２】
続けて、図５に示すフローチャートを参照しつつ、画像データ出力制御処理（Ｓ１５）の詳細（Ｓ２１〜Ｓ３５）について説明する。
［ステップＳ２１、Ｓ２２］
まず、画像処理部６５は、ステップＳ１４（図４）で編成された読取画像データにおける金属色の領域、即ち、第１正反射画像データの輝度が選択された画素により構成される一定の範囲を占める領域を抽出し（Ｓ２１）、その抽出処理の結果、金属色の領域が抽出されたか（存在するか）否かを判別する（Ｓ２２）。
ここで、制御部６０は、金属色の領域が存在すると判別された場合は、処理を後述するステップＳ３５へ移行させ、金属色の領域が存在しないと判別された場合は、処理を次のステップＳ２３へ移行させる。
【００４３】
［ステップＳ２３、Ｓ２４］
ステップＳ２３において、画像処理部６５は、ステップＳ２３で抽出された金属色の領域を１つ選択し（Ｓ２３）、さらに、選択した金属色の領域の第１正反射画像データについて、以下に示すステップＳ２４〜Ｓ３０、Ｓ３３、Ｓ３４の処理を実行する。
まず、画像処理部６５は、予めＨＤＤ６８に記憶（登録）された登録ホログラム画像情報Ｄ１０を参照し、その情報に含まれるホログラムの画像データである第１登録データｄ２を取得する（Ｓ２４、第１ホログラム画像データ取得手段の一例）。
図７は、ＨＤＤ６８に記憶された登録ホログラム画像情報Ｄ１０のデータ構成の一例を表す図である。
登録ホログラム画像情報Ｄ１０は、紙幣やクレジットカードなどの前記要偽造防止物に形成される特定のホログラムに関する情報である。以下、この登録ホログラム画像情報Ｄ１０への登録対象となった特定のホログラムのことを、登録ホログラムと称する。
図７に示すように、登録ホログラム画像情報Ｄ１０は、１つ又は複数の登録ホログラム各々について、登録ホログラム各々を識別する登録名称ｄ１と、登録ホログラムに照射した光の正反射光に基づく画像データである第１登録データｄ２（第１ホログラム画像データに相当）と、登録ホログラムに照射した光の複数の異なる方向への拡散反射光各々に基づく画像データである複数の第２登録データｄ３（第２ホログラム画像データに相当）とが対応付けられた情報である。なお、この登録ホログラム画像情報Ｄ１０を予め記憶するＨＤＤ６８が、ホログラム画像記憶手段の一例である。なお、登録ホログラム画像情報Ｄ１０は、複写機Ｘが備える記憶部に記憶される他、例えば、複写機Ｘが通信可能な外部装置（ファイルサーバ等）の記憶部に記憶させておくことも考えられる。この場合、複写機Ｘは、制御部６０及びＮＩＣ（Network interface card）等の通信手段を通じて、外部装置の記憶部から登録ホログラム画像情報Ｄ１０を取得すればよい。
【００４４】
［ステップＳ２５〜Ｓ２７］
次に、画像処理部６５は、ステップＳ２３で選択された金属色の領域の第１正反射画像データが、ステップＳ２４で取得された第１登録データｄ２（ホログラム画像データ）と一致するか否かの判別処理であるパターンマッチング処理を実行する（Ｓ２５、第１ホログラム画像判別手段の一例）。ここで、金属色の領域の第１正反射画像データの向きと、第１登録データｄ２の向きとは一致しているとは限らないので、このパターンマッチング処理では、一方の画像データの向き（例えば、第１登録データｄ２の向き）を順次回転させながら、両画像の一致／不一致が判別される。
そして、画像処理部６５は、ステップＳ２５におけるパターンマッチング処理の結果、金属色の領域の第１正反射画像データと第１登録データｄ２とが同じ画像を表すものであるか否か（パターンマッチが成立したか否か）を判別する（Ｓ２６）。
ここで、両画データが同じ画像を表すものではない（パターンマッチが不成立）と判別した場合、画像処理部６５は、登録ホログラム画像情報Ｄ１０にパターンマッチング処理を終了していない第１登録データが残っているか否かを判別し（Ｓ２７）、残っていると判別した場合には、処理を前述したステップＳ２４に戻す。これにより、画像処理部６５により、次の新たな第１登録データｄ２について、前述したステップＳ２４〜Ｓ２６の処理が繰り返される。
また、画像処理部６５は、登録ホログラム画像情報Ｄ１０における全ての第１登録データｄ２について、パターンマッチが成立しないまま、金属色領域の第１正反射画像データとのパターンマッチング処理が終了した場合には、処理を後述するステップＳ３２へ移行させる。
【００４５】
［ステップＳ２８、Ｓ２９］
一方、画像処理部６５は、ステップＳ２６において、金属色領域の第１正反射画像データと第１登録データｄ２とが同じ画像を表す（パターンマッチ成立）と判別した場合、両画像の内容が一致したときの第１登録データｄ２又は金属色領域の第１正反射画像データの向き（回転角度）に基づいて、第１正反射画像データの取得の際に、プラテンガラス１１上において第１光源２１の光の照射方向に対してどのような向きでホログラムが配置されたのか（ホログラムの向き）を特定する（Ｓ２８、第１ホログラム画像判別手段の一例）。
さらに、画像処理装置６５は、ＨＤＤ６８に記憶された登録ホログラム画像情報Ｄ１０を参照し、ステップＳ２４で取得した第１登録データｄ２に対応するものであって、ステップＳ２８で特定したホログラムの向きに相当する第２登録データｄ３を取得する（Ｓ２９、第２ホログラム画像データ取得手段の一例）。
【００４６】
［ステップＳ３０〜Ｓ３２］
次に、画像処理部６５は、ステップＳ２３で選択された金属色の領域の拡散反射画像データが、ステップＳ２９で取得されたある向きの第２登録データｄ３（ホログラム画像データ）と一致するか否かの判別処理であるパターンマッチング処理を実行する（Ｓ３０、第２ホログラム画像判別手段の一例）。ここで、金属色の領域の拡散反射画像データの向きと、ステップＳ２９で取得した第２登録データｄ３の向きとは一致しているはずであるので、このパターンマッチング処理では、画像データの回転処理は行われない。
そして、画像処理部６５は、ステップＳ３０におけるパターンマッチング処理の結果、金属色の領域の拡散反射画像データと第２登録データｄ３とが同じ画像を表すものであるか否か（パターンマッチが成立したか否か）を判別する（Ｓ３１）。
このステップＳ３１において、両画像データが同じ画像を表すものではない（パターンマッチが不成立）と判別した場合、画像処理部６５は、ステップＳ２２において抽出した金属色の領域全てについてステップＳ２３〜Ｓ３１の処理が実行されたか否か（全ての金属色の領域について処理が終了したか否か）を判別する（Ｓ３２）。ここで、全ての金属色の領域について処理が終了していないと判別した場合には、画像処理部６５は、処理を前述したステップＳ２３に戻す。これにより、画像処理部６５により、次の新たな金属色の領域の画像データについて、前述したステップＳ２３〜Ｓ３１の処理が繰り返される。
【００４７】
［ステップＳ３５］
一方、画像処理部６５が、ステップＳ３２において、ステップＳ２１で抽出した全ての金属色の領域の画像データについて、第１正反射画像データ及び第１登録データｄ２と、拡散反射画像データ及び第２登録データｄ３との両方についてのパターンマッチが成立しないまま、登録ホログラム画像情報Ｄ１０として登録された登録ホログラムの各画像データとのパターンマッチング処理が終了したと判別した場合には、制御部６０が、ステップＳ３５の処理を実行した後、当該画像データ出力制御処理を終了させる。
ステップＳ３５では、制御部６０は、印刷部６４を制御することにより、ステップＳ１４で編成された読取画像データに基づく印刷処理を実行する。
【００４８】
［ステップＳ３３、Ｓ３４］
また、画像処理部６５が、ステップＳ３１において、金属色領域の拡散反射画像データとステップＳ２９で取得した第２登録データｄ３とが同じ画像を表すものである（パターンマッチが成立）と判別した場合には、制御部６０が、ステップＳ３３及びＳ３４の処理を実行した後、当該画像データ出力制御処理を終了させる。
制御部６０は、ステップＳ３３において、ステップＳ１４で編成された読取画像データ及びその関連データを当該複写機Ｘの記憶部から消去する（Ｓ３３）。さらに、制御部６０は、ステップ３４において、登録ホログラムの画像が原稿に含まれるため、画像データの処理（印刷）が制限された旨を表すエラーメッセージを操作・表示部６３を通じて出力する（Ｓ３４）。このエラーメッセージには、例えば、原稿に含まれると判別された登録ホログラムの登録名称ｄ１が含められる。
このように、制御部６０は、ステップＳ３０の処理により、金属色領域の拡散反射画像データが第２登録データｄ３（第２ホログラム画像データ）と一致すると判別された場合に、画像データの処理を制限する（Ｓ３３、Ｓ３４：データ処理制限手段の一例）。
【００４９】
前述したように、ホログラムに照射した光の正反射光に基づく画像データは、ホログラムが有する特徴的な模様や影等が表れないものの、その輪郭や凹凸により形成された模様等、ある程度の識別性を有する像が表れる画像データとなる。しかも、その画像データ（第１正反射画像データ）の内容は、光の照射方向によって変化しない。このため、正反射光に基づく第１正反射画像データと第１登録データｄ２とのパターンマッチング（Ｓ２５）により、予め登録されたホログラム画像の中から、原稿１０に形成されているホログラム画像と一致し得るもの及びその向きを絞り込むことができる。
そして、そのようにして絞り込まれた範囲内で、拡散反射光に基づく拡散反射画像データと第２登録データｄ３とのパターンマッチング（Ｓ３０）を行うことにより、ホログラムの画像認識を場合に、散乱反射画像データと登録された全ての向きの第２登録データｄ３それぞれとのパターンマッチングを網羅的に行う必要がなくなり、処理負荷を小さくすることができる。
【００５０】
次に、図６に示すフローチャートを参照しつつ、複写機Ｘにおける前記ＣＤモードが選択されているときの複写処理について説明する。図６に示す処理は、利用者により、予め操作・表示部６３を通じて前記ＣＤモードが選択され、プラテンガラス１１上にＣＤ（原稿の一例）が載置された状態で、操作・表示部６３から所定の読み取り開始操作がなされたときから開始される。
［ステップＳ４１〜Ｓ４４］
まず、前記読取り開始操作がなされると、制御部６０は、前述したステップＳ１と同様に、前記第１基準板１ａに第１光源２１の光を照射することにより、前記第１露光を基準状態に調節する処理を実行する（Ｓ４１）。
さらに、制御部６０は、前述したステップＳ２と同様に、原稿１０に第１露光を行うことによって前記拡散反射画像データを取得する処理を実行する（Ｓ４２）。
続けて、制御部６０は、前述したステップＳ５と同様に、前記第２基準板１ｂに第２光源２２の光を照射することにより、前記第２露光を基準状態に調節する処理を実行する（Ｓ４３）。
さらに、制御部６０は、原稿１０に基準状態での第２露光を行うことによって前記第１正反射画像データを取得する処理を実行する（Ｓ４４）。
【００５１】
［ステップＳ４５］
次に、画像処理部６５が、前述したステップＳ７と同様に、全ての画素（位置）各々について、前記条件Ｂ（ステップＳ４２で取得した拡散反射画像データの輝度（第１輝度）が、ステップＳ４４で取得した第１正反射画像データの輝度（第２輝度）に対して一定レベル以上であるか否か）の判別を行う（Ｓ４５）。ここで、画像処理部６５は、条件Ｂが成立した画素（位置）については、第１輝度（拡散反射画像データの輝度）を、条件Ｂが不成立の画素については、第２輝度（第１正反射画像データの輝度）を、原稿１０からの読取画像データの輝度として採用する（選択する）ことを確定させる（Ｓ４５、第１条件判別手段の一例）。例えば、条件Ｂは、「第１輝度≧第２輝度」である。
【００５２】
［ステップＳ４６、Ｓ４７］
次に、画像処理部６５は、条件Ｂの判別結果に基づく輝度選択処理（ステップＳ４５）により選択（採用）が確定した拡散反射画像データ又は第１正反射画像データのいずれかの輝度を各画素（位置）ごとに採用することにより、出力対象となる読取画像データを編成する（Ｓ４６、第２選択式読取画像データ編成手段の一例）。編成された読取画像データは、画像処理部６５の画像メモリ６６に記憶される。
そして最後に、制御部６０が、印刷部６４を制御することにより、ステップＳ４６で編成された読取画像データに基づく印刷処理を実行し（Ｓ４７）、ＣＤモード時の複写処理を終了させる。
【００５３】
前述したように、ＣＤなどの多層皮膜形成物の表面にほぼ垂直に（図１におけるＡ２方向から）光を照射した場合、その光のほとんどは、複数の皮膜層の境界面それぞれにおいて、照射面にほぼ垂直の方向（図１におけるＣ方向）に正反射するため、その正反射光に基づく画像データには干渉縞が表れない。
従って、ステップＳ４５において、第１正反射画像データの輝度が高い位置（多層皮膜が露出している位置）についてはその輝度を、そうでない位置（現像剤による画像が形成された位置）については拡散反射画像データの輝度を、読取画像データに採用する輝度として選択することにより、ＣＤジャケットの画像を読み取った場合に、ユーザが意図しない干渉縞像が表れない高画質の画像データが得られる。
【００５４】
以上に示した複写機Ｘでは、第１露光と第２露光とにおいて、第１光源２１と第２光源２２とのいずれか一方のみを点灯させる例を示したが、本発明の実施形態は、これに限るものではない。
例えば、各光源２１、２２から原稿１０への光路それぞれに光の通過／遮断を切り替えるシャッタを設け、このシャッタによって第１露光と第２露光とを切り替える構成も考えられる。
また、各光源２１、２２からの光路についても、特許文献２の図６に示されるような構成も考えられる。
また、前述した複写機Ｘでは、第１露光用の第１光源２１と第２露光用の第２光源２２とを個別に設けた例を示したが、本発明の実施形態は、これに限るものではない。
例えば、特許文献１の図１、図５及び図６の各々に示されるように、１つの光源の光を、ミラー等によって第１露光用の光路と第２露光用の光路とに個別に導くとともに、各光路に光の通過／遮断を切り替えるシャッタを設け、このシャッタによって第１露光と第２露光とを切り替える構成も考えられる。
【００５５】
また、前述した実施形態では、複写処理のモードとして、通常モードと金属色モードとＣＤモードとの３種類のモードを有する例を示したが、本発明の実施形態は、これに限るものではない。
例えば、金属色モードに相当する複写モードのみ、或いは、通常モードと金属色モードとのそれぞれに相当する２種類の複写モードのみを有する複写機として構成したもの等も考えられる。
また、前述した実施形態では、登録されたホログラムの画像が原稿の画像に存在する場合に、印刷処理を制限する例を示したが、この他、読み取られた画像データを外部装置に送信することや、外部メモリに書き込むこと等、他の様々なデータ処理を制限するよう構成されたものも考えられる。
【産業上の利用可能性】
【００５６】
本発明は、画像読取り装置への利用が可能である。
【図面の簡単な説明】
【００５７】
【図１】本発明の実施の形態に係る画像読取り装置の一例である複写機Ｘの主要部の概略構成を表す断面図。
【図２】複写機Ｘの制御部周辺の概略構成を表すブロック図。
【図３】複数の色のパッチ画像が形成された原稿画像イメージとその拡散反射光及び正反射光を読み取って得た画像データの出力イメージとを模式的に表した図。
【図４】複写機Ｘにおける金属色モード選択時の複写処理の手順を表すフローチャート。
【図５】複写機Ｘにおける画像データ出力制御処理の手順を表すフローチャート。
【図６】複写機ＸにおけるＣＤモード選択時の複写処理の手順を表すフローチャート。
【図７】複写機Ｘが参照する登録モノグラム画像情報のデータ構成の一例を表す図。
【図８】各種原稿について拡散反射光に基づく画像データ及び正反射光に基づく画像データをグラフ化した図。
【図９】所定の原稿Ｂについて光の照射強度を変化させた場合の正反射光に基づく画像データをグラフ化した図。
【図１０】所定の原稿Ｃについて光の照射強度を変化させた場合の正反射光に基づく画像データをグラフ化した図。
【図１１】所定の原稿Ｄについて光の照射強度を変化させた場合の正反射光に基づく画像データをグラフ化した図。
【図１２】所定の原稿Ｅについて光の照射強度を変化させた場合の正反射光に基づく画像データをグラフ化した図。
【図１３】所定の原稿Ｆについて光の照射強度を変化させた場合の正反射光に基づく画像データをグラフ化した図。
【図１４】各種原稿について正反射光に基づく画像データにおける各色の輝度バランスを表形式で表した図。
【図１５】ＣＤについて拡散反射光に基づく画像データ及び正反射光に基づく画像データをグラフ化した図。
【図１６】正反射光に基づくホログラムの像と拡散反射光に基づくホログラムの像とを模式的に表した図。
【符号の説明】
【００５８】
Ｘ…複写機
１ａ…第１基準板
１ｂ…第２基準板
１０…原稿
１１…プラテンガラス
２１…第１光源
２２…第２光源
２３…光量調節手段
３１〜３３…ミラー
４０…結像レンズ
５０…ＣＣＤ部
６０…制御部
６１…位置検出器
６２…駆動モータ
６３…操作・表示部
６４…印刷部
６５…画像処理部
６６…画像メモリ
６７…演算処理部
６８…ハードディスクドライブ
Ａ１…第１露光の光照射方向
Ａ２…第２露光の光照射方向
Ｃ…反射方向
Ｓ１、Ｓ２、〜…処理手順（ステップ）
【図１】
2007325050.tif 000003
【図２】
2007325050.tif 000004
【図３】
2007325050.tif 000005
【図４】
2007325050.tif 000006
【図５】
2007325050.tif 000007
【図６】
2007325050.tif 000008
【図７】
2007325050.tif 000009
【図８】
2007325050.tif 000010
【図９】
2007325050.tif 000011
【図１０】
2007325050.tif 000012
【図１１】
2007325050.tif 000013
【図１２】
2007325050.tif 000014
【図１３】
2007325050.tif 000015
【図１４】
2007325050.tif 000016
【図１５】
2007325050.tif 000017
【図１６】
2007325050.tif 000018